(57)【要約】
【課題】  多種類の角箱の対向枢支部にその間隔に対応した多種類の蓋板を共通のヒンジ部材で互換性よく枢支可能にすること。
【解決手段】  角箱１に蓋板２を対面させる角箱対向辺１Ａの隅部にそれぞれ軸受凹所３とボス４とを有する軸受片５を取着する一方、可撓片６と枢軸７とを外端に有する第一の取付け板８と、この取付け板８に係合するガイド溝９を有し、可撓片６と枢軸９とをそれぞれ外端に有する第二の取付け板１０とを前記ガイド溝９でスライド可能に係合し、前記各可撓片６に形成した開蓋角度制限用の円弧孔６Ａが前記ボス４に係入する位置で、各取付け板をその長孔ａの縁辺で前記蓋板２の内面にねじ止めした後、各取付け板の枢軸７を前記軸受凹所３に係入すると共に、前記ボス４に可撓片６の円弧孔６Ａを係入させることで、角箱に対して蓋板を前記枢軸７を中心として前記円弧孔の範囲内で所定角度まで開蓋可能に枢支した。
【選択図】      図１
0003100912.tif 000002
【実用新案登録請求の範囲】
【請求項１】
角箱の開口隅部における対向辺に蓋板を枢支するに当たり、前記対向辺の各内面に前広がり斜面付きボスと前側上部開放の軸受凹所とをそれぞれ上下に有する軸受片を取着する一方、後向きの可撓片と外向きの枢軸とをそれぞれ外端上下に有する第一の取付け板と、この取付け板を摺動案内するガイド溝を有し、外端上下にそれぞれ後向き可撓片と外向き枢軸とを有する第二の取付け板とを前記ガイド溝で係合して蓋板内面に重合配置し、各可撓片に形成した開蓋角度制限用の円弧孔がそれぞれ前記ボスに係入する位置を定めた状態で、各取付け板をその長孔縁辺で前記蓋板の内面にねじ止め固定した後、各取付け板の外端枢軸をそれぞれ前記軸受凹所にその開放端から係入すると共に、前記各ボスの前広がり斜面を経て各可撓片をその撓み復元弾力に抗し内側に撓ませ、前記各円弧孔をそれぞれボスに係入し、各可撓片をその撓み復元弾力で原状復帰させることで、角箱の前記対向辺に対し蓋板を枢軸中心として前記円弧孔の範囲内で開蓋可能に枢支した蓋板の枢支装置。
【考案の詳細な説明】
【技術分野】
【０００１】
この考案は、多種類の角箱の対向枢支部にその間隔に対応した多種類の蓋板を共通のヒンジ部材で互換性よく枢支できる蓋板の枢支装置に関する。
【背景技術】
【０００２】
従来の扉枢支装置としては、例えば下記の特許文献１に記載のものが周知である。
この従来例は、扉吊り込み時に下部ピボット軸と軸受け保持部材を嵌合した後に軸受けピボット軸保持部材に上部ピボット軸を嵌合し、下部ピボット軸受け装置は、下部ピボットベースの下面に下部可動板の下部スライドピンを長孔に係合させる係合手段を介して回転可能かつ扉巾方向に移動可能に係合し、下部可動板を第一の下部調整ねじで角度調整し、第二の下部調整ねじで軸受け保持部材を扉吊元側へ押圧し、上部ピボット軸受け装置は上部ピボットベースの上面に上部可動板を上部スライドピンを長孔に係合させる係合手段を介して回転可能かつ扉巾方向に移動可能に係合し、上部可動板を第一の上部調整ねじで角度調整し、第二の上部調整ねじでピボット軸保持部材を戸先側へ押圧し、扉の吊元側の上端と下端を扉巾方向及び扉厚み方向に調整できる持出吊ピボットヒンジ構造である。
【０００３】
また、下記の特許文献２には、回転支点部となる枢軸が被取付け部に対してスライド自在なヒンジ機構として、両端に被取付部を係着する係着部が枢軸を基点として開閉可能に連結したヒンジユニットに、少なくとも、一方の係着部を被取付部に対して所定範囲内でスライド自在にするとともに、被取付け部に対して抜差し自在に構成する弾性を有するフック部を備えたヒンジユニット機構の構成の記載がある。
【特許文献１】特開平０８−３１２２３０号公報
【特許文献２】特開２００２−２３５４７７号公報
【考案の開示】
【考案が解決しようとする課題】
【０００４】
特許文献１に記載の従来例は、扉の吊元側の上端と下端へのピボットヒンジの取付け位置を扉巾方向および扉の厚み方向にそれぞれ調整することができるが、これは上端と下端の個々のピボットヒンジ単位でそれぞれのベース板上でのみ調整が可能であって、一方のヒンジの取付け位置が他のヒンジの取付け位置を取付け間隔方向で制限するものではないので、上端のピボットヒンジのピボット軸芯と下端のピボットヒンジのピボット軸芯とを偏移しないように取付けることはできないという本質的かつ、大きな問題点が有る。
また、特許文献２に記載のヒンジ機構は、複数のヒンジユニットが一個の取付け片を共用し、双方のヒンジユニットが該取付け片に沿って摺動して双方のヒンジユニットの取付け間隔を調整することと、双方のヒンジツボの取付け片からの突出量を個々に調整することは可能であるが、前記取付け片は門扉を構成する扉枠の一部をヒンジの構成要素の一つとした物でありヒンジ機構自体ではないので、門扉用扉枠以外の用途には使用できないという本質的かつ、大きな問題点が有るし、また、ヒンジツボの中心を合わせるには歯山の数を数えて調整しなければならず、取付けが面倒であるという大きな問題点も有る。
【０００５】
しかも、前記各特許文献に記載のヒンジ機構は、一対の軸受け構成体または一対の枢軸構成体の取付け間隔を一方の軸受け構成体または枢軸構成体の取付け位置を基準に双方の取付け間隔を前記双方の軸受け孔または枢軸の中心を偏移させずに取付けることができないという共通した大きな問題点が有る。
この考案は、多種類の角箱の対向枢支部にその間隔に対応した多種類の蓋板を共通のヒンジ部材で互換性よく枢支可能にすることを目的とする。
【課題を解決するための手段】
【０００６】
上記した本考案の目的は、角箱の開口隅部における対向辺に蓋板を枢支するに当たり、前記対向辺の各内面に前広がり斜面付きボスと前側上部開放の軸受凹所とをそれぞれ上下に有する軸受片を取着する一方、後向きの可撓片と外向きの枢軸とをそれぞれ外端上下に有する第一の取付け板と、この取付け板を摺動案内するガイド溝を有し、外端上下にそれぞれ後向き可撓片と外向き枢軸とを有する第二の取付け板とを前記ガイド溝で係合して蓋板内面に重合配置し、各可撓片に形成した開蓋角度制限用の円弧孔がそれぞれ前記ボスに係入する位置を定めた状態で、各取付け板をその長孔縁辺で前記蓋板の内面にねじ止め固定した後、各取付け板の外端枢軸をそれぞれ前記軸受凹所にその開放端から係入すると共に、前記各ボスの前広がり斜面を経て各可撓片をその撓み復元弾力に抗し内側に撓ませ、前記各円弧孔をそれぞれボスに係入し、各可撓片をその撓み復元弾力で原状復帰させることで、角箱の前記対向辺に対し蓋板を枢軸中心として前記円弧孔の範囲内で開蓋可能に枢支したことで達成できた。
【考案の効果】
【０００７】
本考案によれば、前記各取付け板同士をその長さ方向にスライド調節するに当たり、各取付け板同士が前記ガイド溝を基準としで互いに直線定規の役目を果たすから、各取付け板同士を真っ直ぐに伸縮でき、各取付け板をその長孔で前記蓋板の内面所定個所に精確容易にねじ止め取着できるので、前記各可撓片の円弧孔を前記角箱側の対向枢軸に係入できる蓋板内面に位置決め固定し易く、しかも各取付け板の外端枢軸をそれぞれ前記角箱側の軸受凹所にその開放端から前記枢軸を軸受凹所に係入し易くできたという優れた効果が有るほかに、角箱側の前記各ボスの前広がり斜面を経て各可撓片をその撓み復元弾力に抗し内側に撓ませ曲げることで、前記各円弧孔をそれぞれボスに係入し易くでき、しかも各可撓片はその撓み復元弾力で原状復帰するから、角箱の前記対向辺に対し蓋板を枢軸中心として前記円弧孔の範囲内で開蓋可能に無造作に枢支できるという優れた効果が有る。
【０００８】
以上要するに本考案によれば、角箱の対向辺間隔に即応して蓋板側の前記可撓片間隔と左右の枢軸間隔とを素早く精確に設定できるし、対向間隔が異なる多種類の角箱にそれぞれ個別にマッチした多種類の蓋板を共通のヒンジ部材で互換性よく簡単に枢支できるという優れた効果が有る。
【考案を実施するための最良の形態】
【０００９】
本考案の実施の形態例について図面を参照して説明する。
この考案の最良の実記形態は、図１のようなプラスチックなどで作った角箱１の開口隅部における対向辺１Ａにプラスチックや金属などで作った蓋板２を図５のように可能に枢支するに当たり、前記角箱１の対向辺１Ａに前側上部開放の軸受凹所３と前広がり斜面付きボス４とを有する図２のようなプラスチック製の軸受片５を図５のように左右対称的にねじ止めや接着により取着する一方、後向きの可撓片６と外向きの枢軸７とを外端に有する図２のようなプラスチック製の第一の取付け板８と、この取付け板８に係合してこの取付け板を摺動案内するガイド溝９を有し、後向き可撓片６と外向き枢軸７とをそれぞれ外端に有する図２のようなプラスチック製の第二の取付け板１０とを用意する。
【００１０】
次いで、これら各取付け板８・１０同士を前記ガイド溝９で図３のように係合させて蓋板内面に重合配置し、各取付け板８・１０同士を長さ方向にスライドさせ、前記各可撓片６に形成した開蓋角度制限用の円弧孔６Ａがそれぞれ前記角箱１に突設したボス４に係入する位置を図３のように蓋板２の内面所定個所で定めた状態で、各取付け板８・１０をその長孔ａの縁辺で前記蓋板内面に同図３・図４のようにねじＮにより取着した後、各取付け板８・１０の各枢軸７を角箱側の軸受凹所３にその前側上部開放部分３Ａから図４のように係入させると共に、各可撓片６をその撓み復元弾力に抗し前記ボス４の前広がり斜面４Ａを経て図４のように内側に撓ませ曲げ、このボス４に可撓片６に形成した開蓋角度制限用の円弧孔６Ａを図５・図６のように係入し、各可撓片６をその撓み復元弾力で上記各図のように原状復帰させることで、角箱１の前記対向辺１Ａに対して蓋板２を図５・図６のように前記枢軸７を中心として円弧孔６Ａの範囲内で開蓋可能に枢支できると共に、この開蓋状態で収納物を角箱内に出し入れした後、蓋板２を前記枢軸７を中心として図７のように角箱１の対向辺１Ａの前面に沿わせて閉蓋できる。
【００１１】
なお、前記角箱１よりも幅広の角箱に幅広の蓋板２を枢支するには、図８のように上記幅広寸法差分だけ取付け板８・１０同士を前記蓋板２の内面所定個所で長さ方向にスライドさせて左右対称的に長く引き出し、前記各可撓片６の円弧孔６Ａがそれぞれ前記ボス４に係入する位置を前記のように定めた状態で、各取付け板８・１０をその長孔ａで前記蓋板２の内面に同図８のようにねじ止めした後、前記各枢軸７を軸受凹所３に前記のように係入させると共に、各可撓片６を前記のように内側に撓ませ曲げ、前記ボス４に可撓片６の円弧孔６Ａを係入して各可撓片６を前記のように原状復帰させることで、角箱１の前記対向辺１Ａに対して蓋板２を図９のように前記枢軸７を中心として円弧孔６Ａの範囲内で所定角度まで開蓋可能に枢支できた。
【産業上の利用可能性】
【００１２】
この考案による蓋板の枢支装置は、前記各構成部材を金属などの強靱材で作り、前記角箱１を建造物の部屋と見做し、蓋板２をドアと見做してその枢支方向を縦方向に置換し、各取付け板８・１０を建造物のドアにその高さ方向に沿わせて縦に配設し、このドアをその上下両端付近で建造物に立設した柱の上下または天井と床面に前記と同様に枢支して利用することができ、その他建造物の外構用門扉の枢支装置としても同様に利用できる。
【図面の簡単な説明】
【００１３】
【図１】本発明による枢支装置の分離状態の一例を示す斜視図
【図２】本発明の実施形態の要部を示す分解斜視図
【図３】本発明による蓋板の裏面の一例を示す斜視図
【図４】本発明による蓋板を角箱に枢支する例を示す平面図
【図５】本発明の実施形態の一例を示す斜視図
【図６】本発明の要部の一例を示す拡大縦断側面図
【図７】図６に示すものと状態を異にした拡大縦断側面図
【図８】本発明の他の実施形態の組立途中の一例を示す斜視図
【図９】本発明の他の実施形態の一例を示す斜視図
【符号の説明】
【００１４】
１  角箱
１Ａ  角箱の対向辺
２  蓋板
３  軸受凹所
３Ａ  軸受凹所の前側上部開放部分
４  ボス
４Ａ  ボスの前広がり斜面
５  軸受片
６  可撓片
６Ａ  開蓋角度制限用の円弧孔
７  枢軸
８  第一の取付け板
９  ガイド溝
１０  第二の取付け板
ａ  取付け板の長孔
【図１】
0003100912.tif 000003
【図２】
0003100912.tif 000004
【図３】
0003100912.tif 000005
【図４】
0003100912.tif 000006
【図５】
0003100912.tif 000007
【図６】
0003100912.tif 000008
【図７】
0003100912.tif 000009
【図８】
0003100912.tif 000010
【図９】
0003100912.tif 000011